(57)【特許請求の範囲】
【請求項１】
少なくとも一端に開口部を有する容器本体と、
前記容器本体の内側面の一部として形成されて基板を支持する支持部と、
前記容器本体の前記開口部を閉鎖する蓋体と、
を備えた基板収納容器であって、
前記支持部は、前記容器本体とは別部材として第１の材料で形成され、
前記容器本体は、第２の材料が前記別部材の裏側に接合されて前記別部材と一体化して形成され、
前記別部材は、前記基板を支持するように一定の間隔で形成された複数の水平棚部と、前記水平棚部それぞれの一端部近傍を連結するとともに前記容器本体の内側面として露呈する接続部と、を有し、
前記複数の水平棚部は、それぞれ前記基板と接触して該基板を支持する平面を有し、
前記接続部における前記複数の水平棚部のうち隣り合う水平棚部の間には溝が形成され、
前記溝は２つの溝部分からなり、そして、
少なくとも前記別部材における前記２つの溝部分のうち前記平面に接続された一方の溝部分の裏側には、前記容器本体が形成される時に前記第２の材料の流れを妨げる突出部が設けられている、基板収納容器。
【請求項２】
前記接続部の肉厚が、前記容器本体の肉厚よりも薄い、請求項１に記載の基板収納容器。
【請求項３】
前記突出部が、前記容器本体が形成される時に、前記第２の材料の流れを完全に妨げる部分と、前記第２の材料の流れを部分的に妨げる部分と、を有する、請求項１又は２に記載の基板収納容器。
【請求項４】
前記別部材における前記２つの溝部分のうち前記平面に接続された一方の溝部分の裏側には、前記第２の材料の流れを完全に妨げる部分が配置されている、請求項３に記載の基板収納容器。
【請求項５】
前記突出部が、断面台形である、請求項１〜４のいずれか一項に記載の基板収納容器。
【請求項６】
少なくとも一端に開口部を有する容器本体と、
前記容器本体の内側面の一部として形成されて基板を支持する支持部と、
前記容器本体の前記開口部を閉鎖する蓋体と、
を備えた基板収納容器の製造方法あって、
（Ａ）前記支持部を、第１の材料で構成された、前記容器本体とは別部材として用意するステップと、
（Ｂ）前記別部材を金型内に配置させるステップと、
（Ｃ）第２の材料を前記別部材の裏側と前記金型との間に注入して前記別部材に接合させて、前記別部材と一体化した前記容器本体を形成するステップと、
を含み、
前記ステップ（Ａ）において、前記別部材を、前記基板を支持するように一定の間隔で形成された複数の水平棚部と、前記水平棚部それぞれの一端部近傍を連結するとともに前記容器本体の内側面として露呈する接続部と、を有するように形成し、前記複数の水平棚部を、それぞれ前記基板と接触して該基板を支持する平面を有するように形成し、前記接続部における前記複数の水平棚部のうち隣り合う水平棚部間には溝を形成し、前記溝は２つの溝部分からなり、かつ、少なくとも前記別部材における前記２つの溝部分のうち前記平面に接続された一方の溝部分の裏側には、前記第２の材料の流れを妨げる突出部を形成し、そして、
前記（Ｃ）のステップにおいて、前記第２の材料を、前記別部材の裏側と前記金型間のキャビティにおいて前記突出部以外の領域に分布させる、製造方法。
【請求項７】
前記突出部が、断面台形である、請求項６に記載の製造方法。
【発明の詳細な説明】
【技術分野】
【０００１】
本発明は基板収納容器及びその製造方法に関する。
【背景技術】
【０００２】
基板収納容器は、半導体ウェーハからなる複数枚の基板を整列収納する、開口を有する容器本体と、半導体ウェーハを保持するフロントリテーナを有しこの容器本体の開口正面部に着脱自在に嵌入される蓋体と、を備えて構成されている。この基板収納容器は、半導体部品の量産工程で半導体ウェーハの加工装置にセットされ、クリーン化の要求に鑑み、蓋体が加工装置の蓋体開閉装置により自動的に開閉される。
【０００３】
容器本体の開口の両側の内側壁には、それぞれ、支持部が設けられていて、蓋体を取り付けていない状態の容器本体では、半導体ウェーハの表裏面が水平で、等間隔となるように支持されている。これら支持部の奥側には半導体ウェーハの周辺の一部を係止する溝（例えば、Ｖ字状溝）等が形成され、これにより容器本体に蓋体を取り付けた時に、半導体ウェーハは、蓋体のフロントリテーナの保持溝と、前記係止する溝との間に挟持されることになる。このとき、半導体ウェーハは、支持部から上方に持ち上げられるように移動し、この係止する溝にて保持されることになる。容器本体から蓋体を取り除くと、基板は挟持された状態から解放されて、再び支持部に水平に支持される状態となり、ハンドリング装置によってアクセス可能となる。（特許文献１）
【０００４】
一方、容器本体の成形の際に、容器本体の内部に支持部を形成する必要があり、容器本体の成形とは、別に成形することが一般的である。このような別部材（別成形品）としての支持部材（即ち、容器本体とともに成形されて支持部を構成する部材）を、容器本体に接続する方法としては、物理的嵌合や、インサート成形がある。
【０００５】
支持部材をインサート成形する場合において、基板を収容した際に接触する部分の背面側において、支持部材（即ち、１次成形品）と２次成形品（即ち、支持部材と一体化された容器本体）の接着性の向上、及び、第２の材料（即ち、容器本体を形成する材料）の収縮を助けるとともに、支持部材の反りを軽減するために、第２の材料のための流路を設け、第２の材料を流す方法が提案されている（例えば、特許文献２参照）。
【０００６】
しかし、第２の材料を流す際、第２の材料（例えば、３００℃程度の溶融樹脂）の熱と、インサート成形における金型の型締め力が２次成形後の支持部材（１次成形品）の形状、品質に影響を及ぼすことが懸念される。特に、支持部材のウェーハ接触部（主に、ポケットエンド部；ポケットエンド部については後述する）については、２次成形時に、できるだけ１次成形品の形状、品質を維持することが必要とされている。それは、上記したウェーハの移動や、フロントリテーナとの間でウェーハをばらつきなく安定的に挟持したり、ウェーハを支持部材で精度よく支持したりすることに影響するからである。すなわち、ウェーハを挟持したときの形状や位置が変わると、ウェーハの輸送時にウェーハを安定的に保持することができなくなる。また、蓋体を取り外してウェーハの挟持状態を解放したときに、支持部材の所定の位置にウェーハが存在しないと、半導体の加工工程におけるハンドリング装置においてウェーハハンドリングの不具合が発生する可能性がある。
【先行技術文献】
【特許文献】
【０００７】
【特許文献１】特開２００５−６４２７５号公報
【特許文献２】特開２００３−６８８３９号公報
【発明の概要】
【発明が解決しようとする課題】
【０００８】
本発明は、このような事情に鑑みてなされたものであり、その目的は、支持部を構成する別部品としての支持部材の基板接触部（主に、ポケットエンド部）の裏側（背面側）を、第２の材料（例えば、溶融樹脂）を流さない形状にすることで、２次成形時における熱や圧力などによるポケットエンド部への影響を少なくして、精度を上げることができる基板収納容器の製造方法および基板収納容器を提供することにある。
【課題を解決するための手段】
【０００９】
本発明は、以下の構成によって把握される。
（１）本発明の基板収納容器は、少なくとも一端に開口部を有する容器本体と、前記容器本体の内側面の一部として形成されて基板を支持する支持部と、前記容器本体の前記開口部を閉鎖する蓋体と、を備え、前記支持部は、前記容器本体とは別部材として第１の材料で形成され、前記容器本体は、第２の材料が前記別部材の裏側に接合されて前記別部材と一体化して形成され、前記別部材は、前記基板を支持するように一定の間隔で形成された複数の水平棚部と、前記水平棚部それぞれの一端部近傍を連結するとともに前記容器本体の内側面として露呈する接続部と、を有し、前記複数の水平棚部は、それぞれ前記基板と接触して該基板を支持する平面を有し、前記接続部における前記複数の水平棚部のうち隣り合う水平棚部の間には溝が形成され、前記溝は２つの溝部分からなり、そして、少なくとも前記別部材における前記２つの溝部分のうち前記平面に接続された一方の溝部分の裏側には、前記容器本体が形成される時に前記第２の材料の流れを妨げる突出部が設けられていることを特徴とする。
（２）本発明の基板収納容器は、（１）の構成において、前記接続部の肉厚が、前記容器本体の肉厚よりも薄いことを特徴とする。
（３）本発明の基板収納容器は、（１）又は（２）の構成において、前記突出部が、前記容器本体が形成される時に、前記第２の材料の流れを完全に妨げる部分と、前記第２の材料の流れを部分的に妨げる部分と、を有することを特徴とする。
（４）本発明の基板収納容器は、（３）の構成において、前記別部材における前記２つの溝部分のうち前記平面に接続された一方の溝部分の裏側には、前記第２の材料の流れを完全に妨げる部分が配置されていることを特徴とする。
（５）本発明の基板収納容器は、（１）〜（４）のいずれかの構成において、前記突出部が、断面台形であることを特徴とする。
（６）本発明の基板収納容器の製造方法は、少なくとも一端に開口部を有する容器本体と、前記容器本体の内側面の一部として形成されて基板を支持する支持部と、前記容器本体の前記開口部を閉鎖する蓋体と、を備えた基板収納容器の製造方法あって、（Ａ）前記支持部を、第１の材料で構成された、前記容器本体とは別部材として用意するステップと、（Ｂ）前記別部材を金型内に配置させるステップと、（Ｃ）第２の材料を前記別部材の裏側と前記金型との間に注入して前記別部材に接合させて、前記別部材と一体化した前記容器本体を形成するステップと、を含み、前記ステップ（Ａ）において、前記別部材を、前記基板を支持するように一定の間隔で形成された複数の水平棚部と、前記水平棚部それぞれの一端部近傍を連結するとともに前記容器本体の内側面として露呈する接続部と、を有するように形成し、前記複数の水平棚部を、それぞれ前記基板と接触して該基板を支持する平面を有するように形成し、前記接続部における前記複数の水平棚部のうち隣り合う水平棚部間には溝を形成し、前記溝は２つの溝部分からなり、かつ、少なくとも前記別部材における前記２つの溝部分のうち前記平面に接続された一方の溝部分の裏側には、前記第２の材料の流れを妨げる突出部を形成し、そして、前記（Ｃ）のステップにおいて、前記第２の材料を、前記別部材の裏側と前記金型間のキャビティにおいて前記突出部以外の領域に分布させることを特徴とする。
（７）本発明の基板収納容器の製造方法は、（６）の構成において、前記突出部が、断面台形であることを特徴とする。
【発明の効果】
【００１０】
本発明によれば、２次成形時に、別部材としての支持部材における基板の位置精度に重要な基板接触部（ポケットエンド部）の裏側（背面側）を第２の材料（例えば、溶融樹脂）が流れない形状にすることで、第２の材料の熱などから基板接触部を保護して、基板接続部への影響を少なくすることができる。
【図面の簡単な説明】
【００１１】
【図１】基板収納容器の一般的に構成を示す斜視図である。
【図２】別部材として形成される支持部材（外表面側）の一実施形態の部分斜視図である。実線で囲んだ部分はポケットエンド部に相当する。
【図３】別部材として形成される支持部材の一実施形態を裏側からみた斜視図である。本発明における改良は、主に実線で囲んだ部分にある。
【図４】図３の部分拡大図である。
【図５】図３に示す支持部材を容器本体と一体化する容器本体形成用金型の型締め状態を示す断面図である。
【図６】図５の部分拡大図である。
【図７】図４の透視図である。裏側（背面側）の構造を点線にて表しているが、実線で囲まれた部分がポケットエンド部に相当する。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
【００１３】
基板収納容器の一般的に構成を図１に示す。基板収納容器１０は、図１に示すように、前面に開口部を有するいわゆるフロントオープンボックスタイプの容器本体１と、この容器本体１の開口部を塞ぐ蓋体２と、蓋体２に設けられるフロントリテーナ３とを備える。
【００１４】
容器本体１の側壁には、基板Ｗの周縁部を水平に支持する一対の支持部４（図１では片側の支持部のみを示す）が、垂直方向に一定間隔で形成されている。支持部４は容器本体１から内方に突出する棚状の部材であり、容器本体１の開口部が開いた状態では、基板Ｗは支持部４によって水平に支持されている。
【００１５】
蓋体２にはフロントリテーナ３が取り付けられ、蓋体２とフロントリテーナ３が一体となって、容器本体１に取り付けまたは取り外しが行われる。フロントリテーナ３は、矩形状の枠体３１と、この枠体３１から短冊状に分岐されて基板Ｗ側に張り出す片持ち状の弾性片３２とを備えている。
【００１６】
容器本体１は、内部に収納する基板Ｗを目視可能に透明材料から形成することが好ましい。一方、支持部４は、基板Ｗとの接触の際に摩耗紛を発生しないような耐摩耗性が良好で、静電気による埃の付着が少ない静電気消散性があり、なおかつ容器本体１と相溶性の良好な材料で形成することが好ましい。
【００１７】
容器本体１を成形する材料（即ち、第２の材料）としては、ポリカーボネート、環状オレフィン樹脂、ポリブチレンテレフタレート等の熱可塑性樹脂があり、容器本体１とは別部材として形成する支持部４の材料（即ち、第1の材料）としては、容器本体１の材料（即ち、第２の材料）とは異なるポリブチレンテレフタレート樹脂、フッ素樹脂等が添加され耐摩耗性が向上したポリカーボネート樹脂、ポリエーテルエーテルケトン樹脂、あるいはこれらの樹脂にカーボンフィラーやカーボンブラックなどの導電材料や帯電防止材料が添加されたり前記熱可塑性樹脂をアロイ化して帯電防止性能が付与されたり、した樹脂がある。
【００１８】
以下、蓋体２により閉鎖される容器本体側を、容器本体１と、それと別部材の支持部材４０（インサート成形後に支持部４を構成する）とで構成されるとして説明する。
【００１９】
図２は、容器本体１とは別部品（即ち、インサート成形品）として形成される支持部材４０の、インサート成形後に容器本体１の内側の少なくとも一部を構成する部分（以下、支持部材４０の外表面という）を示す部分斜視図である。また、図３は、容器本体1を形成するために第２の材料を注入する際にその第２の材料と接合される支持部材４０の裏側（背面側）を示す。この支持部材４０の裏側の凹部が（本発明では、部分的に）第２の材料の流路を形成する。図４は、図３の部分拡大図である。図２、図３及び図４に示された別部品としての支持部材４０の構成要素（符号４１、４２、４３）については、図５及び図６に基づいて説明する。なお、本明細書を通して説明する部分は主に図３における実線で囲まれた部分である。
【００２０】
図５は、図３に示す支持部材を容器本体と一体化する容器本体形成用金型の型締め状態を示す断面図であり、図６は、その部分拡大図である。図５に容器本体１とは別部品としての支持部材４０の構造が分かりやすく示されているので、図５に基づいて別部品としての支持部材４０の各構成要素を説明する。支持部材４０は、基板Ｗと接触して該基板Ｗをほぼ水平に支持する平面４１ａを有して一定の間隔で設けられた複数の水平棚部４１と、水平棚部４１同士をその一端部近傍で連結する接続部４２とを有する。要するに、水平棚部４１において基板Ｗと直接的に接触して支持する部分は、平面４１ａといえる。接続部４２は、容器本体１の内側面として露呈し、概して板状となっている。（後述する溝が形成される前の）接続部４２は、前記水平棚部４１の平面４１ａに対してほぼ直角をなして（即ち、垂直方向に）延びている。
【００２１】
接続部４２の肉厚（Ｔ１）は容器本体１の壁部１１の肉厚（Ｔ２）より薄く形成され得る。支持部材４０と一体化される容器本体１の壁部１１の肉厚（Ｔ２）は、３．５ｍｍ〜５ｍｍに設定される。これに対して接続部４２の肉厚（Ｔ１）は、壁部１１の肉厚（Ｔ２）より薄く、壁部１１の平均肉厚を４ｍｍとするとこの値の１０〜７５％の範囲になる０．４ｍｍ〜３ｍｍに設定され、好ましくは、壁部１１の肉厚（Ｔ２）の２０〜５０％の範囲となる０．８ｍｍ〜２．０ｍｍに設定される。より好ましくは、壁部１１の肉厚（Ｔ２）の２５〜３７．５％の範囲となる１．０ｍｍ〜１．５ｍｍに設定される。接続部４２の肉厚（Ｔ１）が壁部１１の肉厚（Ｔ２）の７５％を超えると、支持部材４０を成形するときに変形し易くなり、前記肉厚が壁部１１の肉厚（Ｔ２）の１０％未満では、剛性がなくなり、金型にインサートするときに精度良く位置規制ができず、自動化が難しくなるので好ましくない。
【００２２】
図５および図６に示すように、接続部４２における複数の水平棚部４１のうち隣り合う水平棚部４１の間に、水平棚部４１の長手方向に沿って（即ち、水平棚部４１の平面４１ａに平行して）一定の長さで溝Ｇ（この例においては、Ｖ字状溝）が形成されている。溝Ｇ（Ｖ字状溝）の例示的形状は図２にも示されている。しかし、溝Ｇの形状はＶ字状に限定されず、例えば、Ｕ字状であっても良い。このように、概して板状の接続部４２に溝Ｇ（この例では、Ｖ字状溝Ｇ）を設けているので、溝Ｇを設けている接続部４２の部分の肉厚は溝Ｇを設けていない接続部４２の部分の肉厚より薄くなっている。よって、溝Ｇを設けている部分についていえば、接続部４２は概して板状でなくなる。隣り合う水平棚部４１の間には溝Ｇが形成されるので、水平棚部４１の数に応じて溝Ｇの数も変わる。図５および図６において、Ｖ字状溝Ｇの上側の溝部分（「傾斜面」とも呼ぶ）を４２Ａ、Ｖ字状溝Ｇの下側の溝部分（「傾斜面」とも呼ぶ）を４２Ｂと定義する。より詳細に、一方の溝部分４２Ａは、それら２つの隣り合う水平棚部４１のうち一方の水平棚部４１の平面４１ａに対向する面４１ｂに接続されているが、他方の溝部分４２Ｂは、それら２つの隣り合う水平棚部４１のうち他方の水平棚部４１の平面４１ａに接続されている。２つの溝部分（傾斜面）４２Ａ，４２Ｂは対称的に形成され得る。しかし、ここにいう方向はあくまで相対的であり、絶対的なものではないことは当業者に十分理解できるだろう。
【００２３】
一方で、容器本体１に接続される支持部材４０（特に、接続部４２）の裏側（即ち、水平棚部４１が設けられた外表面側とは反対側）には複数の突出部４３が一定の間隔で設けられている。このような突出部４３が設けられた部分又は領域では、接続部４２の肉厚が、突出部４３が設けられていない部分又は領域よりも大きいので、「肉厚部」と呼ぶ。それに対して、裏側に突出部４３が設けられていない接続部４２の部分又は領域を「肉薄部」と呼ぶ。ここで、肉厚部、及び、肉薄部の基準となるのは、支持部材４０の外表面側の構造（溝等）ではなく、支持部材４０の裏側の構造（突出部４３の有無）である。
【００２４】
肉厚部を形成する複数の突出部４３は、図５および図６に示すように、断面台形であり得る。しかしながら、突出部４３の形状はこれに限定されず、肉厚部を形成できるものであれば様々な形状のものを採用することができる。図５および図６に示された台形の平行な一対の底辺（上底、下底）のうち、下底４３Ａは接続部４２に面している。下底４３Ａは、例えば、２つの隣り合う水平棚部４１間のＶ字状溝Ｇの真ん中（最も深く凹んだところ）からそれらの２つの隣り合う水平棚部４１のうち一方の水平棚部４１（即ち、下方に配置された水平棚部４１）の平面４１ａに対向する面４１ｂ（傾斜面４２Ａが始まるところ）までの垂直方向に沿った距離に相当する。また、突出部４３の上底４３Ｂは、例えば、２つの隣り合う水平棚部４１間のＶ字状溝Ｇの真ん中（最も深く凹んだところ）からそれらの２つの隣り合う水平棚部４１のうち一方の水平棚部４１（即ち、下方に配置された水平棚部４１）の平面４１ａまで（即ち、Ｖ字状溝Ｇの真ん中から傾斜面４２Ｂが終わるところまで）の垂直方向に沿った距離（図６、ｄ）に相当する。しかし、図５及び図６に示すように、別の断面台形突出部４３の別の上底４３Ｂは「ｄ」より大きいものであっても良いので、「ｄ」以上と定めることができる。要するに、２つの隣り合う水平棚部４１間に設けられた溝Ｇを構成する２つの溝部分４２Ａ，４２Ｂのうち一方の水平棚部４１の平面４１ａに接続された溝部分４２Ｂの裏側には必ず突出部（この例においては、断面台形）が形成される。しかし、この突出部４３は、傾斜面４２Ｂの裏側において第２の材料の流れを（好ましくは、完全に）妨げる形状となっていれば十分であり、それ以外の部分については適宜変更可能である。また、突出部の形状によっては第２の材料の流れを完全に妨げる部分Ｒ１と、部分的に妨げる部分Ｒ２が存在し得る（図６）。
【００２５】
すると、肉厚部は、図５及び図６に示すように、少なくとも接続部４２における傾斜面４２Ｂが設けられた肉厚方向の領域を含むことになるが、下の溝部分を形成する傾斜面４２Ｂと平面４１ａは基板と接触する部分で、基板の移動や、基板を支持する位置精度に重要である。この傾斜面４２Ｂの部分が「ポケットエンド部」と呼ばれる部分である。なお、ポケットエンド部は、図２及び図７において実線で囲まれた部分である。この実施形態では、傾斜面４２Ｂ（ポケットエンド部）の裏側に肉薄部が設けられていない。その理由は次のとおりである。肉薄部は、容器本体１の成形時に第２の材料が流れる流路となる部分である。第２の材料を別部品としての支持部材４０の裏側に流すと、第２の材料（例えば、溶融樹脂）の熱と、インサート成形における金型の方締め力が支持部材４０にかかることになる。図６に示す矢印が熱と圧力がかかる方向を表す。前述したように、支持部材４０のポケットエンド部（傾斜面４２Ｂ）は基板と接触してそれを保持する際に基板の滑り下がりに重要な役割をする部分であるから、そこに熱と圧力がかかると最終成形品に影響する可能性がある。そこで、ポケットエンド部の裏側に肉薄部（第２の材料の流路）を設けないことで、そこに第２の材料（例えば、溶融樹脂）を流さない形状にしたものである。肉薄部は、第２の材料の流路となり、肉厚方向で容器本体１を形成する第２の材料と接合される。肉薄部は、例えば、傾斜面４２Ａの裏側となり得る。この場合、少なくとも接続部４２における傾斜面４２Ｂの裏側には突出部４３が設けられていない。
【００２６】
次に、本発明による基板収納容器の製造方法の実施形態について簡単に説明する。別成形品又は１次成形品として用意された支持部材４０を容器本体形成用の金型５０、５１内の所定の位置に挿入する。支持部材４０の構成については前述した通りである。接続部４２についてその外表面側には水平棚部４１を、その裏側（背面側）には突出部４３を設けてあるので、支持部材４０は容器本体成形金型が型締めされる時に、相対する２つの金型５０（移動金型）および金型５１（固定金型）の間に挟まれて、容器本体形成用のキャビティ（第２の材料を流すと容器本体１の壁部１１を形成する部分）でしっかりと保持される。よって、樹脂圧等で動いたりすることが防止される。言い換えれば、金型５０、５１の間において、別部材としての支持部材４０は、水平棚部４１と、その水平棚部４１とは反対側（裏側）に設けられた突出部４３によって位置決められる。
【００２７】
また、必要に応じて、支持部材４０に位置決め突起を任意の位置に設けることもできる。例えば、支持部材４０に、幅方向と高さ方向の位置決めをする位置決め突起（図示せず）を適当な間隔で設けても良い。また、容器本体１を形成する金型５１の支持部材４０のインサート部には、該位置決め突起と嵌り合う嵌合用の溝を設けると、前記嵌合用の溝と位置決め突起とが嵌合し、支持部材４０が金型内の所定の位置に精度良く挿入される。固定金型５１には、支持部材４０の水平棚部４１に対応し、これを収納する空間部Ｃを所定の間隔で設けられている。
【００２８】
以上のように、容器本体１とは別の材料（即ち、第１の材料）からなる支持部材４０が、金型５０，５１内にインサートされて型締めが完了した後に、金型のキャビティ（空間部）である容器本体形成用キャビティに、容器本体１を形成する溶融した第２の材料を充填して、容器本体１を形成すると共に、金型にインサートしておいた支持部材４０を容器本体１と一体化させる。尚、支持部材４０と容器本体１との境界面は、後から充填される溶融樹脂（第２の材料）の熱によって支持部材４０が溶かされて、熱融着により一体化する。前述したように、２次成形時において、第２の材料は、前記別部品としての支持部材４０の裏側と金型５０間のキャビティにおいて突出部４３が設けられていない領域や、突出部４３が形成されていても第２の材料の流れを部分的に妨げる領域に分布される。よって、少なくとも傾斜面４２Ｂ（ポケットエンド部）の裏側には溶融樹脂が流れなくなるので、傾斜面４２Ｂの裏側に突出部を設けていないものに比べて、ポケットエンド部に対する第２の材料の熱（例えば、３００℃程度の溶融樹脂）や圧力からの影響は少ない。
【００２９】
一体成形においては、成形後に、接続部４２の基板Ｗを支持する側の表面（即ち、支持部材４０の外表面）を容器本体１の内側面として露呈させるようにする。
【００３０】
支持部材４０と容器本体１との一体化ばかりでなく、他の機能部材、例えば、フロントリテーナ３、リアリテーナ（図示せず）、位置決め突起（図示せず）を容器本体１とは異なる材料の別部材として形成し、これと容器本体１あるいは蓋体２と一体化するのに用いることができる。
【００３１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。例えば、隣り合う水平棚部４１の間に形成される溝Ｇを上側の溝部分４２Ａと、下側の溝部分４２Ｂとから形成し、これらを上下対称に形成することを記載したが、これに限らず、下側の溝部分と上側の溝部分の傾斜角度を変更したり、下側の溝部分と上側の溝部分の交点である最深部を上下どちらかに偏在するようにしたりして、これらを上下非対称に形成することもできる。また、その様な変更または改良を加えた形態も本発明の技術的範囲に含まれ得ることが、特許請求の範囲の記載から明らかである。
【符号の説明】
【００３２】
１０              基板収納容器
１                容器本体
２                蓋体
３                フロントリテーナ
４                支持部
Ｗ                基板
１１              容器本体の壁部
４０              支持部材
４１              水平棚部
４１ａ            平面
４２              接続部
４２Ａ            傾斜面（上側の溝部分）
４２Ｂ            傾斜面（下側の溝部分又はポケットエンド部）
４３              突出部
５０              金型（移動金型）
５１              金型（固定金型）
Ｃ                空間部
Ｇ                溝
【図１】
0006391515.tif 000002
【図２】
0006391515.tif 000003
【図３】
0006391515.tif 000004
【図４】
0006391515.tif 000005
【図５】
0006391515.tif 000006
【図６】
0006391515.tif 000007
【図７】
0006391515.tif 000008